(57)【特許請求の範囲】
【請求項１】
船体の船尾端は、左右の側壁における下部と、船底における幅方向の各端部が曲面部により連結されて構成され、
前記船底における水平部の幅が前記船体の船尾端における幅の７０％以上で且つ９５％以下に設定され、
船尾は、船体の幅方向中心線位置にある船底が後方へ上方傾斜した第１船底と、船尾端から予め設定された所定距離だけ前方へ移動した位置で前記第１船底に連続して計画喫水に平行をなす角度以上で前記第１船底からの後方延長線の角度より小さい角度で船尾端まで平面である第２船底とを有し、前記第２船底は、前記計画喫水の上方に位置する、
ことを特徴とする船舶。
【請求項２】
前記第２船底は、計画喫水に対して０度以上で、且つ、２０度以下に設定されることを特徴とする請求項１に記載の船舶。
【発明の詳細な説明】
【技術分野】
【０００１】
本発明は、旅客船、フェリー、コンテナ船、ＲＯ−ＲＯ船（Roll-on/Roll-off Ship）、自動車専用船としてのＰＣＣ（Pure Car Carrier）、ＰＣＴＣ（Pure Car / Truck Carrier）などの一般的な船舶に関するものである。
【背景技術】
【０００２】
旅客船やフェリーなど痩せ型の高速船として使用される船舶では、航海速力領域で航行するとき、船尾の流速が速くなることから、船尾での負圧が大きくなり、船尾の沈下量が大きくなる。そのため、船体抵抗の観点から考えると、船尾が肥大化した状態となり、船体全体の抵抗が急激に増加することになる。このような傾向は、フルード数が所定数（例えば、０．３）以上となる高速船において、特に顕著である。
【０００３】
このような問題を解決するものとして、下記特許文献１に記載されたものがある。この特許文献１に記載されたトランサムスターン型船尾形状は、トランサムスターンを有する一般商船の船尾部の船体中心線における船底面形状であって、船尾端から一定距離前方の位置において流速変化を伴う流場変化を生じさせるべき変曲点を設け、この変曲点から後方へ流れを加速する領域を形成すべく下向き流れを生成するように後方へ下方傾斜した船底面を設けたものであり、船尾造波を低減させることができる。
【先行技術文献】
【特許文献】
【０００４】
【特許文献１】特許第３４９０３９２号公報
【発明の概要】
【発明が解決しようとする課題】
【０００５】
上述した従来のトランサムスターン型船尾形状にあっては、船尾端から一定距離前方に変曲点を設け、この変曲点から後方へ下方傾斜した船底面を設けることで、船尾造波を低減することができる。しかしながら、近年の船舶においては、航走時の性能及び運航効率の向上がより一層求められている。そのため、航走時の船体抵抗低減が重要となり、更なる船体抵抗の低減が望まれている。
【０００６】
本発明は、上述した課題を解決するものであり、航走時における船体抵抗の低減を可能とする船舶を提供することを目的とする。
【課題を解決するための手段】
【０００７】
上記の目的を達成するための本発明の船舶は、船体の船尾端は、左右の側壁における下部と、船底における幅方向の各端部が曲面部により連結されて構成され、前記船底における水平部の幅が前記船体の船尾端における幅の６０％以上に設定される、ことを特徴とするものである。
【０００８】
従って、船舶が航行するとき、船尾に沿って流れる水流は、船底に沿って後方に流れ、船底の水平部に流れることで船体表面圧力が上昇し、この船体表面圧力により船尾を上方へ押し上げることとなり、船尾の沈下が抑制され、船体抵抗を低減することができる。
【０００９】
本発明の船舶では、前記船底における水平部の幅は、前記船体の船尾端における幅の６０％以上で且つ９５％以下に設定されることを特徴としている。
【００１０】
従って、水平部の幅を最適値に設定することで、船体抵抗の更なるを低減を可能とすることができる。
【００１１】
本発明の船舶では、船尾は、船体の幅方向中心線位置にある船底が後方へ上方傾斜した第１船底と、船尾端から予め設定された所定距離だけ前方へ移動した位置で前記第１船底に連続して計画喫水に平行をなす角度以上で前記第１船底からの後方延長線の角度より小さい角度をなす第２船底とを有することを特徴としている。
【００１２】
従って、船舶が航行するとき、船尾に沿って流れる水流は、第１船底に沿って後方に流れ、第２船底に流れることで船体表面圧力が上昇し、この船体表面圧力により船尾を上方へ押し上げることとなり、船尾の沈下が抑制され、船体抵抗を低減することができる。また、第２船底が後方へ下方傾斜していないために船尾端が水に浸かりにくく、第２船底による船尾造波の発生を抑制することで、この点でも船体抵抗を低減することができる。
【００１３】
本発明の船舶では、前記第２船底は、計画喫水に対して０度以上で、且つ、２０度以下に設定されることを特徴としている。
【００１４】
従って、第２船底を計画喫水に対して適正な角度に設定することで、船体表面圧力による船尾の押し上げ作用と、第２船底の船尾端の浸水による船尾造波の発生抑制の作用とにより船体抵抗を効果的に低減することができる。
【００１５】
本発明の船舶では、前記第２船底にて、水平部の幅が前記船体の幅の所定割合に設定されることを特徴としている。
【００１６】
従って、船尾に沿って流れる水流は、第２船底の水平部に流れることで船体表面圧力が上昇し、この船体表面圧力により船尾を上方へ押し上げることとなり、船尾の沈下が抑制され、船体抵抗を効果的に低減することができる。
【発明の効果】
【００１７】
本発明の船舶によれば、船尾の船底における水平部の幅を船体の船尾端における幅の６０％以上に設定するので、航走時における船体抵抗の低減を可能とすることができる。
【図面の簡単な説明】
【００１８】
【図１】図１は、本発明の実施例１に係る船舶の船尾を表す側面図である。
【図２】図２は、実施例１の船舶の船尾形状を表す正面図である。
【図３】図３は、船速に対する必要馬力を表すグラフである。
【図４】図４は、本発明の実施例２に係る船舶の船尾形状を表す側面図である。
【図５】図５は、実施例２の船舶の船尾形状を表す平面図である。
【図６】図６は、本発明の実施例３に係る船舶の船尾形状を表す側面図である。
【図７】図７は、実施例３の船舶の船尾形状を表す正面図である。
【図８】図８は、本発明の実施例４に係る船舶の船尾形状を表す側面図である。
【発明を実施するための形態】
【００１９】
以下に添付図面を参照して、本発明に係る船舶の好適な実施例を詳細に説明する。なお、この実施例により本発明が限定されるものではなく、また、実施例が複数ある場合には、各実施例を組み合わせて構成するものも含むものである。
【実施例１】
【００２０】
図１は、本発明の実施例１に係る船舶の船尾を表す側面図、図２は、実施例１の船舶の船尾形状を表す正面図、図３は、船速に対する馬力を表すグラフである。
【００２１】
実施例１の船舶においては、図１に示すように、船体１１における船尾１２は、ほぼ水平をなす船底１３が後方に延出され、軸受部１４が形成されている。この軸受部１４は、主軸１５が回転自在に支持され、この主軸１５の後端部にスクリュープロペラ１６を有するプロペラボス１７が固結されている。
【００２２】
また、船底１３は、プロペラボス１７の上方まで、滑らかに連続しており、プロペラボス１７の後方にラダホーン１８が固定され、船尾１２とこのラダホーン１８に架設された舵柱１９に舵２０が支持されている。
【００２３】
このように構成された実施例１の船舶において、図１及び図２に示すように、船体１１の船尾、つまり、船尾１２は、船底１３から滑らかに連続する船尾船底２１が形成されている。この船尾１２は、船尾船底２１にて、底部となる水平部２２と、左右の側壁２３と、水平部２２における幅方向の各端部と各側壁２３の下部とを連結する左右の曲面部２４とから構成されている。この場合、水平部２２は、前後方向に平面またはなだらかな曲面形状をなし、左右(船幅)方向に水平な平面形状をなしている。また、各側壁２３は、平面またはなだらかな曲面形状をなしている。
【００２４】
そして、船尾船底２１における水平部２２の幅Ｗｓが、船尾１２(船体１１)における幅Ｗの６０％以上に設定されている。なお、この船尾船底２１における水平部２２の幅Ｗｓが、船尾１２(船体１１)における幅Ｗの６０％以上で、且つ、９５％以下に設定されることが好ましい。この限定は、工作上の制限を考慮している。
【００２５】
従って、船舶が航行するとき、船尾１２に沿って流れる水流が船尾船底２１の水平部２２に至ると、この水平部２２を介して船尾１２が上方へ押し上げられ、この船尾１２の沈下量が低減される。そのため、船尾１２が沈下することにより発生する船体抵抗を大幅に低減することが可能となり、燃費の改善につながる。
【００２６】
従来は、船尾端船底が幅方向に湾曲していたり、幅方向における水平部の領域が小さかったので、船速が遅い領域では、船尾端が水に浸かった状態となり、船尾で発生する波崩れにより大幅な抵抗悪化が発生してしまう。実施例１の船舶では、船尾船底２１における水平部２２の幅方向領域を大きくすることで船尾端近傍の流れを加速することが可能となり、高速域から低速域の全領域において船尾端が水に浸かることがほとんどなく船体抵抗が低減される。
【００２７】
従って、図３に示すように、船尾端船底が幅方向に湾曲していたり、幅方向における水平部の領域が小さい従来の船舶（点線）に対して、船尾船底２１の水平部２２の幅方向領域が大きい実施例１の船舶（実線）は、船速に対する必要馬力を低減することができる。
【００２８】
このように実施例１の船舶にあっては、船尾１２を、船尾船底２１にて、底部となる水平部２２と、左右の側壁２３と、水平部２２における幅方向の各端部と各側壁２３の下部とを連結する左右の曲面部２４とから構成し、船尾船底２１における水平部２２の幅Ｗｓを船尾１２(船体１１)における幅Ｗの６０％以上に設定している。
【００２９】
従って、船舶が航行するとき、船尾１２に沿って流れる水流は、船尾船底２１に沿って後方に流れ、船尾船底２１の水平部２２に流れることで船体表面圧力が上昇し、この船体表面圧力により船尾１２を上方へ押し上げることとなり、船尾１２の沈下が抑制され、船体抵抗を低減することができる。
【００３０】
また、実施例１の船舶では、船尾船底２１における水平部２２の幅Ｗｓを船尾１２(船体１１)における幅Ｗの６０％以上で且つ９５％以下に設定している。従って、水平部２２の幅を最適値に設定することで、船体抵抗の更なるを低減することができる。
【実施例２】
【００３１】
図４は、本発明の実施例２に係る船舶の船尾形状を表す側面図、図５は、実施例２の船舶の船尾形状を表す平面図である。なお、上述した実施例と同様の機能を有する部材には、同一の符号を付して詳細な説明は省略する。
【００３２】
実施例２の船舶において、図４及び図５に示すように、船尾１２は、船体１１の幅方向中心線位置にある船底が後方へ上方傾斜した第１船底３１と、船尾端から予め設定された所定距離だけ前方へ移動した位置で第１船底３１に連続して計画喫水Ｓに平行をなす角度以上で第１船底３１からの後方延長線の角度より小さい角度をなす第２船底３２とを有している。
【００３３】
この場合、第２船底３２は、計画喫水Ｓに対して０度以上で、且つ、２０度以下に設定することが望ましい。また、第１船底３１は、ほぼ平らな平面形状またはなだらかな曲面形状であり、一方、第２船底３２は、計画喫水Ｓに平行な前後に水平となる形状となっている。更に、第１船底３１と第２船底３２の連続部は、流速変化を伴う流場変化を生じさせるような変曲位置３３となっている。
【００３４】
即ち、実施例２の船舶は、トランサムスターンを有する一般商船であって、船尾端から予め設定された所定距離だけ前方に移動した位置において流速変化を伴う流場変化を生じさせるべき変曲点（変曲位置）３３を設ける。そして、この変曲点３３を境にしてその前方に流速の遅い領域を形成するように、平面またはなだらかな曲面により後方へ上昇させる第１船底３１を形成する。一方、変曲点３３から後方へ流れを加速する領域を形成するように、船尾端から所定距離をもつと共に下向き流れを生成するように後方へ下方傾斜した第２船底３２を形成する。
【００３５】
具体的に説明すると、船尾１２は、船体１１の幅方向中心線Ｃに対して左右対称な形状をなしている。第１船底３１は、船底１３から後方へ計画喫水Ｓに対して所定角度θだけ上方に傾斜した平面または曲面である。第２船底３２は、船尾端から予め設定された所定距離Ｌだけ前方へ移動した変曲位置３３で第１船底３１に連続し、計画喫水Ｓに平行をなす水平面である。この場合、船尾端は、その両側が湾曲して船側部と連続していることから、変曲位置３３も船尾端の形状に沿うように、その両側が湾曲して船側部と連続している。
【００３６】
なお、第２船底３２は、計画喫水Ｓに平行な水平線３２ａと、第１船底３１から後方に延長された延長線３１ａとのなす角度内にあり、この角度は水平線３２ａの０度以上の後方への上方側の傾斜角度であり、且つ、延長線３１ａより下方側の傾斜角度である。この場合、所定角度θは、計画喫水Ｓに対する後方への上方傾斜角度を２０度以下に設定することが好ましい。また、変曲位置３３は、所定の角度をもって第１船底３１と第２船底３２を連結する必要はなく、前後の所定の湾曲面をもって滑らかに連続するようにしてもよい。更に、第１船底３１を平面形状ではなくなだらかな曲面形状とした場合、第１船底３１からの延長線３１ａとは、変曲位置３３における第１船底３１の接線となる。
【００３７】
また、計画喫水Ｓとは、船体１１に所定重量の積載物を積んだ状態での喫水であり、船体１１に構造強度上で許容できる最大重量の積載物を積んだ状態での喫水が強度喫水である。従って、強度喫水に対して余裕を持たせるように計画喫水Ｓが設定される。
【００３８】
また、実施例２の船舶において、船尾１２における船尾船底は、第１船底３１と第２船底３２により構成されている。この船尾１２は、第２船底３２にて、前述した実施例１と同様に、水平部２２、左右の側壁２３、曲面部２４（以上、図２参照）とから構成されており、第２船底３２における水平部２２の幅Ｗｓが、船尾１２(船体１１)における幅Ｗの６０％以上に設定されている。
【００３９】
従って、船舶が航行するとき、船尾１２に沿って流れる水流が、変曲位置３３から後方で下方に偏向されることにより第２船底３２を介して船尾１２が上方へ押し上げられ、この船尾１２の沈下量が低減される。そのため、船尾１２が沈下することにより発生する船体抵抗を大幅に低減することが可能となり、燃費の改善につながる。
【００４０】
従来は、後方へ下方傾斜した船底を設けていたので、船速が遅い領域では、船尾端が水に浸かった状態となり、船尾で発生する波崩れにより大幅な抵抗悪化が発生してしまう。実施例２の船舶では、第２船底３２を水平とすることで静止水面とのクリアランスを十分に確保することが可能となり、高速域から低速域の全領域において船尾端が水に浸かることがほとんどなく船体抵抗が低減される。
【００４１】
即ち、船舶が航行するとき、船尾１２に沿って流れる水流は、上方傾斜する第１船底３１から変曲位置３３側に流れ、この変曲位置３３から水平な第２船底３２の水平部２２に流れることで船体表面圧力が上昇し、この船体表面圧力により船尾１２を上方へ押し上げる。そのため、船尾１２の沈下が抑制され、船体抵抗が低減する。
【００４２】
この場合、船舶に最大重量の積載物が積まれていると、喫水が強度喫水まで上昇し、船尾が水に浸かるおそれがある。従来は、船尾底が下方傾斜しており、この船尾端が水に浸かりやすいことから、水に浸かった船尾端により船尾造波が発生して大幅な抵抗の悪化を招いてしまう。一方、実施例２の船舶では、第２船底３２が前後方向および左右方向に水平となっているため、この第２船底３２が水に浸かりにくく、水に浸かったとしてもその量が少ないことから、船尾造波の発生を低減して抵抗の悪化が抑制される。
【００４３】
このように実施例２の船舶にあっては、船体１１の幅方向中心線Ｃの位置にある船底１３が後方へ上方傾斜した第１船底３１と、船尾端から予め設定された所定距離Ｌだけ前方へ移動した位置で第１船底３１に連続して計画喫水Ｓに平行をなす第２船底３２とを設け、第２船底３２における水平部２２の幅Ｗｓを船尾１２における幅Ｗの６０％以上に設定している。
【００４４】
従って、船舶が航行するとき、船尾１２に沿って流れる水流は、第１船底３１に沿って後方に流れ、第２船底３２の水平部２２に流れることで船体表面圧力が上昇し、この船体表面圧力により船尾１２を上方へ押し上げることとなり、船尾１２の沈下が抑制され、船体抵抗を低減することができる。また、第２船底３２が後方へ下方傾斜していないために水に浸かりにくく、第２船底３２の船尾端による船尾造波の発生を抑制することで、この点でも船体抵抗を低減することができる。
【００４５】
また、実施例２の船舶では、第２船底３２の角度を計画喫水Ｓに対して０度以上で、且つ、２０度以下に設定している。従って、第２船底３２を計画喫水Ｓに対して適正な角度に設定することで、船体表面圧力による船尾１２の押し上げ作用と、第２船底３２の船尾端の浸水による船尾造波の発生抑制の作用とにより船体抵抗を効果的に低減することができる。
【００４６】
また、実施例２の船舶では、第１船底３１を平面またはなだらかな曲面形状とし、第２船底３２を計画喫水Ｓに平行な前後に水平となる形状としている。従って、船底全体を滑らかな形状とすることで、船体抵抗を更に低減することができる。
【００４７】
また、実施例２の船舶では、第１船底３１と第２船底３２の連続部を、流速変化を伴う流場変化を生じさせるような変曲位置３３としている。従って、変曲位置３３の前方側で船体表面圧力を上昇させることで、この船体表面圧力による船尾１２の押し上げ作用を適正に作用させることができる。
【実施例３】
【００４８】
図６は、本発明の実施例３に係る船舶の船尾形状を表す側面図、図７は、実施例３の船舶の船尾形状を表す正面図である。なお、上述した実施例と同様の機能を有する部材には、同一の符号を付して詳細な説明は省略する。
【００４９】
実施例３の船舶において、図６及び図７に示すように、船尾１２は、船体１１の幅方向中心線位置にある船底が後方へ上方傾斜した第１船底３１と、船尾端から予め設定された所定距離だけ前方へ移動した位置で第１船底３１に連続して計画喫水Ｓに平行をなす角度以上で第１船底３１からの後方延長線の角度より小さい角度をなす第２船底４１とを有している。
【００５０】
具体的に説明すると、第１船底３１は、船底１３から後方へ計画喫水Ｓに対して所定角度θだけ上方に傾斜した平面または曲面である。第２船底４１は、船尾端から予め設定された所定距離Ｌだけ前方へ移動した変曲位置３３で第１船底３１に連続し、計画喫水Ｓに対して所定角度θ１だけ上方に傾斜した平面である。この場合、第２船底４１の所定角度θ１は、第１船底３１の所定角度θより小さいものとなっている。
【００５１】
即ち、第２船底４１は、計画喫水Ｓに平行な水平線４１ａと、第１船底３１から後方に延長された延長線３１ａとのなす角度内にあり、水平線４１ａに対して所定角度θ１を有する平面である。
【００５２】
また、船尾１２における船尾船底は、第１船底３１と第２船底４１により構成されている。この船尾１２は、第２船底４１にて、水平部４２、左右の側壁４３、曲面部４４とから構成されており、第２船底４１における水平部４２の幅Ｗｓが、船尾１２(船体１１)における幅Ｗの６０％以上に設定されている。
【００５３】
従って、船舶が航行するとき、船尾１２に沿って流れる水流は、上方傾斜する第１船底３１から変曲位置３３側に流れ、この変曲位置３３から上方傾斜する第２船底４１に流れる。ここで、第１船底３１の所定角度θに対して第２船底４１の所定角度θ１が小さいことから、ここで船体表面圧力が上昇し、この船体表面圧力により船尾１２を上方へ押し上げる。そのため、船尾１２の沈下が抑制され、船体抵抗が低減する。
【００５４】
また、船舶に最大重量の積載物が積まれていると、喫水が強度喫水まで上昇し、船尾端が水に浸かるおそれがある。しかし、第２船底４１が水平より上方に傾斜しているため、この第２船底４１の船尾端が水に浸かりにくく、水に浸かったとしてもその量が少ないことから、船尾造波の発生を低減して抵抗の悪化が抑制される。
【００５５】
このように実施例３の船舶にあっては、船体１１の幅方向中心線Ｃの位置にある船底１３が後方へ上方傾斜した第１船底３１と、船尾端から予め設定された所定距離Ｌだけ前方へ移動した位置で第１船底３１に連続して第１船底３１からの後方延長線の角度より小さい所定角度θ１をなす第２船底４１とを設け、第２船底４１における水平部４２の幅Ｗｓを船尾１２における幅Ｗの６０％以上に設定している。
【００５６】
従って、船舶が航行するとき、船尾１２に沿って流れる水流は、第１船底３１に沿って後方に流れ、第２船底４１の水平部４２に流れることで船体表面圧力が上昇し、この船体表面圧力により船尾１２を上方へ押し上げることとなり、船尾１２の沈下が抑制され、船体抵抗を低減することができる。また、第２船底４１が後方へ下方傾斜していないために水に浸かりにくく、第２船底４１の船尾端による船尾造波の発生を抑制することで、この点でも船体抵抗を低減することができる。
【実施例４】
【００５７】
図８は、本発明の実施例４に係る船舶の船尾形状を表す側面図である。なお、上述した実施例と同様の機能を有する部材には、同一の符号を付して詳細な説明は省略する。
【００５８】
実施例４の船舶において、図８に示すように、船尾１２は、船体１１の幅方向中心線位置にある船底が後方へ上方傾斜した第１船底３１と、船尾端から予め設定された所定距離だけ前方へ移動した位置で第１船底３１に連続して計画喫水Ｓに平行をなす角度以上で第１船底３１からの後方延長線の角度より小さい角度をなす第２船底３２とを有している。
【００５９】
具体的に説明すると、第１船底３１は、船底１３から後方へ計画喫水Ｓに対して所定角度θだけ上方に傾斜した平面または曲面である。第２船底３２は、船尾端から予め設定された所定距離Ｌだけ前方へ移動した変曲位置３３で第１船底３１に連続し、計画喫水Ｓに対して平行をなす平面である。
【００６０】
また、船尾１２における船尾船底は、第１船底３１と第２船底３２により構成されている。この船尾１２は、第２船底３２にて、前述した実施例１と同様に、水平部２２、左右の側壁２３、曲面部２４（以上、図２参照）とから構成されており、第２船底３２における水平部２２の幅Ｗｓが、船尾１２(船体１１)における幅Ｗの６０％以上に設定されている。
【００６１】
更に、船尾１２は、第２船底３２の上方に対向する領域に凹部５１が設けられている。この凹部５１は、船尾１２の後端部を上方から鉛直にカットすると共に後方から略水平にカットしている。この場合、凹部５１の縦壁を鉛直面、傾斜面、曲面としたり、凹部５１の底壁を傾斜面、水平面、曲面としてもよい。
【００６２】
このように実施例４の船舶にあっては、船体１１の幅方向中心線Ｃの位置にある船底１３が後方へ上方傾斜した第１船底３１と、船尾端から予め設定された所定距離Ｌだけ前方へ移動した位置で第１船底３１に連続して計画喫水Ｓに平行な第２船底３２とを設け、第２船底３２における水平部２２の幅Ｗｓを船尾１２における幅Ｗの６０％以上に設定し、第２船底３２の上方に対向する船体１１に凹部５１を設けている。
【００６３】
従って、船体１１の推進性能に影響を与えない部位を取り除くことで、推進性能を低下させることなく船体重量を減少することができ、船体抵抗を低減することができると共に、製造コストを低減することができる。
【００６４】
なお、上述した各実施例では、船尾における船底の形状を、所定の角度θで後方へ上昇傾斜させたり、途中で水平としたり、角度θ１としたりしたが、この構造に限定されるものではなく、従来のように途中で後方へ下方傾斜させたり、船尾船底自体を水平や下方傾斜としてもよく、更に、上下に凹凸して前後に湾曲した形状であってもよい。即ち、船尾船底の形状に拘わらず、水平部の幅が所定割合に設定されていればよいものである。
【００６５】
また、本発明の船舶は、各実施例として記載した１軸船に限定されるものではなく、多軸船（２軸以上）や他の推進器装備船（首振り型ＰＯＤ推進器やアジマス推進器）に適用してもよいものであり、同様の作用効果を奏することができる。
【産業上の利用可能性】
【００６６】
本発明は、船舶において、船尾の船底における水平部の幅を所定割合に設定することで、航走時における船体抵抗の低減を可能とするものであり、いずれの船舶にも適用することができる。
【符号の説明】
【００６７】
１１  船体
１２  船尾
１３  船底
２１  船尾船底
２２，４２  水平部
２３，４３  側壁
２４，４４  曲面部
３１  第１船底
３２，４１  第２船底
３３  変曲位置（変曲点）
５１  凹部 
【図１】
0005863235.tif 000002
【図２】
0005863235.tif 000003
【図３】
0005863235.tif 000004
【図４】
0005863235.tif 000005
【図５】
0005863235.tif 000006
【図６】
0005863235.tif 000007
【図７】
0005863235.tif 000008
【図８】
0005863235.tif 000009